(57)【要約】【課題】ターボ冷凍機の運転が安定しているか否かを自動判定し、安定時の運転状態データを自動選定する。【解決手段】ターボ冷凍機の状態診断データＤを、状態診断データ取り込み機能部１１１により、予め決めた一定周期間隔で取り込んでメモリ１０１に記憶し、記憶された状態診断データＤの中の運転状態データＲを、運転状態取り出し機能部１１２により、メモリ１０１から順次取り出してバッファ１０２に上書きして記憶し、バッファ１０２に記憶された運転状態データＲを基に、運転状態選定機能部１１３により、ヒートバランスの値を計算し、その値が予め決めた指定時間だけ継続して安定範囲に入った場合に、指定時間の最後の時点の運転状態データＲをリングバッファ１０３に記憶する。【選択図】図１
2013036632.tif 000002
【特許請求の範囲】
【請求項１】
メモリと、
ターボ冷凍機から出力される多種類の時系列的なデータからなる状態診断データを、予め決めた一定周期間隔で取り込んで前記メモリに記憶する状態診断データ取り込み機能部と、
バッファと、
前記メモリに記憶された前記状態診断データの中から、ターボ冷凍機の運転状態の点検をするために必要となる予め決めた特定種類のデータである運転状態データを、前記メモリに記憶された順に順次取り出して前記バッファに上書きして記憶する運転状態取り出し機能部と、
複数の運転状態データを記憶することができるリングバッファと、
前記バッファに運転状態データが上書きして記憶されるたびに、当該運転状態データの中に含まれている、ヒートバランスの演算をするために必要な予め決めた特定種類のデータであるヒートバランス計算用データを基に、ターボ冷凍機のヒートバランスの値を計算し、ヒートバランスの値が予め決めた指定時間だけ継続して安定範囲に入った場合に、前記指定時間の最後の時点において前記バッファに記憶されている運転状態データを前記リングバッファに記憶する運転状態選定機能部と、
を有することを特徴とするターボ冷凍機の運転状態データ選定装置。
【請求項２】
請求項１において、
表示部と、
前記リングバッファに記憶された運転状態データの中に含まれている各データが、それぞれ、各データごとに予め決めた許容範囲に入っているか否かを照合すると共に、前記リングバッファに記憶された運転状態データの中に含まれている各データを前記表示部に表示し、且つ、許容範囲から外れたデータについては前記表示部においてアラーム表示をするデータ照合機能部と、
を有することを特徴とするターボ冷凍機の運転状態データ選定装置。
【発明の詳細な説明】
【技術分野】
【０００１】
本発明は、ターボ冷凍機の運転状態データ選定装置に関し、ターボ冷凍機の運転が熱的に安定しているか否かを自動判定し、運転安定時の運転状態データを自動的に選定することができるように工夫したものである。
【背景技術】
【０００２】
ターボ冷凍機は、ＩＴ産業・自動車業界などの工場空調、クリーンルーム、ショッピン
グセンター、病院など様々な分野で、冷房機器として使用されている。
【０００３】
図４は、ターボ冷凍機システムの一例を示している。同図に示すように、ターボ冷凍機１は、凝縮器１ａとオリフィス１ｂと蒸発器１ｃと圧縮機１ｄを配管で繋いで構成されており、冷媒が上記の各機器を循環している。凝縮器１ａには冷却水が流れ、蒸発器１ｃには冷水が流れる。
操作・監視盤１０は、その操作盤からターボ冷凍機１に操作指令Ｓを出すとともに、ターボ冷凍機１に備えた各種のセンサやマイコンから時系列的に出力される状態診断データＤを監視盤で受信して、運転状態や診断状態等を表示する。
状態診断データＤは、ターボ冷凍機の状態診断をするために必要となるデータであり、多種類（例えば１００種類）の時系列的なデータにより構成されている。
【０００４】
このようなターボ冷凍機システムを使用者（ユーザー）に納入した後においては、このシステムを製造して据付した製造会社の作業員や、この製造会社から委託を受けたサービス会社の作業員が、ターボ冷凍機システムを設置した現場に出向いて、現場点検作業（保守点検作業）をする。
例えば、ターボ冷凍機システムは、夏季のシーズンにおいて運転されるため、夏季シーズンの初めに実稼働運転する直前（シーズンイン）の時点や、夏季シーズンの終わりに実稼働運転をした直後（シーズンオフ）の時点において、現場点検作業をする。また、夏季シーズンの途中においては、一定期間ごとに、巡回サービスとして現場点検作業をする。
【０００５】
現場点検作業では、ターボ冷凍機１の運転状態の点検をし、更に、潤滑油の油量や、油汚れや、配管の汚れ程度なども併せて点検する。そして、点検した各項目の状態（良否など）をまとめて記載した点検報告書を作成して、ユーザーなどに提出している。
【０００６】
現場点検作業においてターボ冷凍機１の運転状態の点検をするためには、多種類（例えば１００種類）の時系列的なデータからなる状態診断データＤの中から、運転状態の点検をするために必要となる特定の種類（例えば３０種類）のデータ（これらのデータを「運転状態データ」と称する）をサンプリングしなければならない。
しかも、運転状態データをサンプリングするタイミングは、ターボ冷凍機の運転状態が熱的に安定した時、即ち、ヒートバランスの値が予め決めた範囲内の値になった時でなければならない。
【０００７】
なお、ヒートバランスとは、システム（本願の例ではターボ冷凍機）に加えられる熱量と、システムから取り出す熱量との釣り合いを言い、熱的に完全に釣り合っている状態では、ヒートバランスの値は１になる。熱エネルギーを利用するプラントやシステムでは、どのような入熱がありどのような出熱があるかを勘定することにより、そのプラントやシステムの操業・運転状態を詳細に把握することができる。
【０００８】
ターボ冷凍機においてヒートバランスの演算をするためには、運転状態データ（例えば３０種類のデータ）の中の、特定の種類（例えば８種類）のデータ（これらのデータを「ヒートバランス計算用データ」と称する）が必要である。
【０００９】
ターボ冷凍機における、ヒートバランス計算用データとしては、「冷水流量」、「冷却水流量」、「電圧」、「電流」、「冷水入口温度」、「冷水出口温度」、「冷却水入口温度」、「冷却水出口温度」の各データがある。なお、上記の「電圧」とは、ターボ冷凍機の圧縮機を回転駆動するモータに印加される三相の電圧値であり、上記の「電流」とは、ターボ冷凍機の圧縮機を回転駆動するモータに供給される三相の電流値である。
【００１０】
ヒートバランス計算は、次式（１）により行うことができる。
ヒートバランス＝（冷凍能力＋入力）÷熱容量・・・・（１）
ここにおいて、
冷凍能力＝冷水温度差×冷水流量×比重×比熱÷８６０
入力＝（電圧×電流×３1/2×力率）
熱容量＝冷却水温度差×冷却水流量×比重×比熱÷８６０
冷水温度差＝冷水入口温度−冷水出口温度
冷却水温度差＝冷却水出口温度−冷却水入口温度
である。
【００１１】
ここでデータについてまとめると、「状態診断データ」の中で運転状態の点検をするために必要となる予め決めた特定の種類のデータが「運転状態データ」であり、「運転状態データ」の中でヒートバランスの演算をするために必要となる予め決めた特定の種類のデータが「ヒートバランス計算用データ」である。
【００１２】
ところで従来においては、現場点検作業に携帯するパーソナルコンピュータを操作・監視盤１０（図４参照）に接続して、時系列データである状態診断データＤをバイナリ形式でファイルに記録するという技術はあった。
しかし、ターボ冷凍機の運転状態が熱的に安定した状態の時における運転状態データのみを選択して記録することはできなかった。
【００１３】
そこで、現状では、人間の手作業により、現場点検作業の際に運転状態データを取得していた。その手法は次の通りである。
（１）作業員が操作・監視盤１０の表示部等に表示されている、ヒートバランス計算用データ（例えば８種類のデータ）の値を目視で確認し、このデータ値を基に電卓等でヒートバランス計算をして、ターボ冷凍機１の運転状態が熱的に安定したか否か（ヒートバランスの値が予め決めた範囲内の値になったか否か）を判定する。
（２）ターボ冷凍機１の運転状態が熱的に安定したと判定した複数の時点において、操作・監視盤１０の表示部等に表示されている、運転状態データ（例えば３０種類のデータ）を紙に記録する。
（３）複数の各時点における、運転状態データ（例えば３０種類のデータ）の値が、予め設定した基準値データ（許容範囲）の範囲内に入っているかのチェックを１点１点、手作業で行う。なお、基準値データ（許容範囲）は、据付・試運転時におけるデータを基に設定している。
【００１４】
なお、下記の特許文献１（特開平６−４４４８２号公報）に示す技術では、点検データと基準値データとを比較して正常・異常を判定しているが、点検データの保存は予め指定したタイミングで行っており、機器が安定しているかどうかを判定して安定時に点検データを保存しているものではない。
【先行技術文献】
【特許文献】
【００１５】
【特許文献１】特開平６−４４４８２号公報
【発明の概要】
【発明が解決しようとする課題】
【００１６】
上述したように現状では、人間の手作業により、現場点検作業の際に運転状態データを取得していたため、次のような問題があった。
（１）目視で確認したヒートバランス計算用データ（例えば８種類のデータ）の値を基に電卓等でヒートバランス計算をして、ターボ冷凍機の運転状態が熱的に安定したか否かを判定しているため、目視ミスや計算ミスが発生することがあり、また、運転状態の判定は、標準的な基準やルールはなく、作業員の経験によって行われているため、作業員によっては判定にバラつきが生ずることがある。
（２）採取した複数の各時点における運転状態データ（例えば３０種類の各データ）が、基準値データ（許容範囲）の範囲内に入っているかのチェックを、１点１点、手作業で行っており、チェック漏れやチェックミスといった問題が発生することがある。
【００１７】
本発明は、上記従来技術に鑑み、ターボ冷凍機の運転が熱的に安定しているか否かを自動判定し、安定運転時の運転状態データを自動的に選定することができる、ターボ冷凍機の運転状態データ選定装置を提供することを目的とする。
【課題を解決するための手段】
【００１８】
上記課題を解決する本発明の構成は、
メモリと、
ターボ冷凍機から出力される多種類の時系列的なデータからなる状態診断データを、予め決めた一定周期間隔で取り込んで前記メモリに記憶する状態診断データ取り込み機能部と、
バッファと、
前記メモリに記憶された前記状態診断データの中から、ターボ冷凍機の運転状態の点検をするために必要となる予め決めた特定種類のデータである運転状態データを、前記メモリに記憶された順に順次取り出して前記バッファに上書きして記憶する運転状態取り出し機能部と、
複数の運転状態データを記憶することができるリングバッファと、
前記バッファに運転状態データが上書きして記憶されるたびに、当該運転状態データの中に含まれている、ヒートバランスの演算をするために必要な予め決めた特定種類のデータであるヒートバランス計算用データを基に、ターボ冷凍機のヒートバランスの値を計算し、ヒートバランスの値が予め決めた指定時間だけ継続して安定範囲に入った場合に、前記指定時間の最後の時点において前記バッファに記憶されている運転状態データを前記リングバッファに記憶する運転状態選定機能部と、
を有することを特徴とする。
【００１９】
また本発明の構成は、
更に、表示部と、
前記リングバッファに記憶された運転状態データの中に含まれている各データが、それぞれ、各データごとに予め決めた許容範囲に入っているか否かを照合すると共に、前記リングバッファに記憶された運転状態データの中に含まれている各データを前記表示部に表示し、且つ、許容範囲から外れたデータについては前記表示部においてアラーム表示をするデータ照合機能部と、
を有することを特徴とする。
【発明の効果】
【００２０】
本発明によれば、運転状態データの選定をシステム化し自動的に行うことが可能となり、作業者による現場点検作業を効率化することができる。
また、据付・試運転時の基準値データ（許容範囲）を参照して、選定した運転状態データの照合を自動化することにより、チェック漏れやチェックミスを防止することができ、保守点検後のトラブル発生を未然に防止することができる。
【図面の簡単な説明】
【００２１】
【図１】本発明の実施例に係る、ターボ冷凍機の運転状態データ選定装置を示すブロック構成図。
【図２】運転状態データ選定装置が搭載されたパーソナルコンピュータを用いて運転状態データを選定している状態を示す構成図。
【図３】運転状態データ選定機能部の動作状態を示すフローチャート。
【図４】ターボ冷凍機システムの一例を示す構成図。
【発明を実施するための形態】
【００２２】
以下、本発明の実施の形態について、実施例に基づき詳細に説明する。
【実施例】
【００２３】
図１は、本発明の実施例に係るターボ冷凍機の運転状態データ選定装置１００を示し、図２は運転状態データ選定装置１００が搭載されたパーソナルコンピュータ２０を用いて運転状態データを選定している状態を示している。
【００２４】
図１に示すように、ターボ冷凍機の運転状態データ選定装置１００は、メモリ１０１と、バッファ１０２と、リングバッファ１０３と、表示部１０４と、状態診断データ取り込み機能部１１１と、運転状態データ取り出し機能部１１２と、運転状態データ選定機能部１１３と、データ照合機能部１１４を有している。
このうち、メモリ１０１と、バッファ１０２と、リングバッファ１０３と、表示部１０４は、それぞれ、ハードウエア部材である。また、状態診断データ取り込み機能部１１１と、運転状態データ取り出し機能部１１２と、運転状態データ選定機能部１１３と、データ照合機能部１１４は、それぞれ、ソフトウエアとハードウエア（ＣＰＵ等）が共働する具体的手段により、後述する特有の演算処理を実現するよう構築されたものである。
【００２５】
現場点検作業の際に運転状態データを選定するためには、図２に示すように、運転状態データ選定装置１００が搭載されたパーソナルコンピュータ２０を、操作・監視盤１０の監視盤に接続し、運転状態データ選定装置１００を起動する。
このときターボ冷凍機１が作動していると、ターボ冷凍機１から出力された状態診断データＤが、操作・監視盤１０を介して、パーソナルコンピュータ２０内に構築した運転状態データ選定装置１００に送られてくる。なお、状態診断データＤは、ターボ冷凍機の状態診断をするために必要なデータであり、多種類（例えば１００種類）の時系列的なデータｄ１〜ｄ１００により構成されている。
【００２６】
運転状態データ選定装置１００が起動すると、状態診断データ取り込み機能部１１１は、状態診断データＤ（ｄ１〜ｄ１００）を、予め決めた一定周期間隔（例えば１秒周期間隔）で、取り込んでメモリ１０１に記憶する。
このため、メモリ１０１には、
・時刻ｔ０での状態診断データＤ（ｄ１〜ｄ１００：ｔ０）
・時刻ｔ０から１秒後の時刻ｔ１での状態診断データＤ（ｄ１〜ｄ１００：ｔ１）
・時刻ｔ１から１秒後の時刻ｔ２での状態診断データＤ（ｄ１〜ｄ１００：ｔ２）
・時刻ｔ２から１秒後の時刻ｔ３での状態診断データＤ（ｄ１〜ｄ１００：ｔ３）
・時刻ｔ３から１秒後の時刻ｔ４での状態診断データＤ（ｄ１〜ｄ１００：ｔ４）
というごとく、１秒周期間隔で、各時刻での状態診断データＤが順次記憶される。
【００２７】
状態診断データＤ（ｄ１〜ｄ１００）の中には、運転状態の点検をするために必要となる予め決めた特定種類（例えば３０種類）の運転状態データＲ（ｄ１〜ｄ３０）が含まれている。
運転状態データ取り出し機能部１１２は、メモリ１０１に記憶された各状態診断データＤ（ｄ１〜ｄ１００）の中から、運転状態データＲ（ｄ１〜ｄ３０）を、メモリ１０１への取り込み順（記憶順）に順次取り出し、取り出した運転状態データＲ（ｄ１〜ｄ３０）をバッファ１０２に上書きして記憶する。
この運転状態データ取り出し機能部１１２による、運転状態データＲ（ｄ１〜ｄ３０）を取り出してバッファ１０２に上書・記憶する動作は、例えば１秒周期間隔で行っている。
【００２８】
バッファ１０２は、先行する運転状態データＲ（ｄ１〜ｄ３０）が記憶されている状態で、これに続く次の運転状態データＲ（ｄ１〜ｄ３０）が記憶されると、先行する運転状態データＲ（ｄ１〜ｄ３０）は消去されて、次の運転状態データＲ（ｄ１〜ｄ３０）が記憶されるという、上書き状態で記憶がされる。
したがって本実施例では、バッファ１０２には、例えば、１秒ごとに新たな運転状態データＲ（ｄ１〜ｄ３０）が記憶される。
【００２９】
運転状態データ取り出し機能部１１２及びバッファ１０２の動作状態を具体的に説明すると次の通りである。
・時刻ｔ０でメモリ１０１に記憶された状態診断データＤ（ｄ１〜ｄ１００：ｔ０）の中から、運転状態データＲ（ｄ１〜ｄ３０：ｔ０）が取り出されて、バッファ１０２に運転状態データＲ（ｄ１〜ｄ３０：ｔ０）が上書きして記憶され、
・時刻ｔ１でメモリ１０１に記憶された状態診断データＤ（ｄ１〜ｄ１００：ｔ１）の中から、運転状態データＲ（ｄ１〜ｄ３０：ｔ１）が取り出されて、バッファ１０２に運転状態データＲ（ｄ１〜ｄ３０：ｔ１）が上書きして記憶され、
・時刻ｔ２でメモリ１０１に記憶された状態診断データＤ（ｄ１〜ｄ１００：ｔ２）の中から、運転状態データＲ（ｄ１〜ｄ３０：ｔ２）が取り出されて、バッファ１０２に運転状態データＲ（ｄ１〜ｄ３０：ｔ２）が上書きして記憶され、
・時刻ｔ３でメモリ１０１に記憶された状態診断データＤ（ｄ１〜ｄ１００：ｔ３）の中から、運転状態データＲ（ｄ１〜ｄ３０：ｔ３）が取り出されて、バッファ１０２に運転状態データＲ（ｄ１〜ｄ３０：ｔ３）が上書きして記憶される、
というように、バッファ１０２に次々と新たな運転状態データＲ（ｄ１〜ｄ３０）が上書きして記憶される。
【００３０】
運転状態データ選定機能部１１３は、バッファ１０２に記憶された運転状態データＲ（ｄ１〜ｄ３０）の中に含まれている、ヒートバランスの演算をするために必要となる予め決めた特定種類のデータｄ１〜ｄ８を基に、前述した式（１）の演算をして、ヒートバランスの値を求める。ちなみに、ヒートバランスの演算をするために必要となる予め決めた特定種類のデータｄ１〜ｄ８とは、「冷水流量」、「冷却水流量」、「電圧」、「電流」、「冷水入口温度」、「冷水出口温度」、「冷却水入口温度」、「冷却水出口温度」の各データである。
そして、例えば、ヒートバランスの値が１±3％（即ち、ヒートバランスの値が０．９７〜１．０３の安定範囲内）であれば、ターボ冷凍機１が熱的に安定して運転していると判定する。
【００３１】
このようにして、運転状態データ選定機能部１１３は、１秒周期間隔ごとにバッファ１０２に記憶される新たな運転状態データＲ（ｄ１〜ｄ３０）を基にして、ターボ冷凍機１が熱的に安定して運転しているか否かを、１秒周期間隔ごとに判定する。
【００３２】
更に、運転状態データ選定機能部１１３は、上述した演算をして、ターボ冷凍機１が熱的に安定して運転していることを判定した時点から、指定した時間（例えば１分間）だけ継続して各時刻（１秒周期間隔の各時刻）において、ターボ冷凍機１が熱的に安定して運転していることを判定したら、前記の指定した時間の最後の時点における運転状態データＲ（ｄ１〜ｄ３０）を、スナップショット的にリングバッファ１０３に記憶する。
【００３３】
運転状態データ選定機能部１１３は、スナップショット的に運転状態データＲ（ｄ１〜ｄ３０）をリングバッファ１０３に記憶した後においても、上述した演算をして、ターボ冷凍機１が熱的に安定して運転していることを判定した時点から、指定した時間（例えば１分間）だけ継続して各時刻（１秒周期間隔の各時刻）において、ターボ冷凍機１が熱的に安定して運転していることを判定したら、前記の指定した時間の最後の時点における運転状態データＲ（ｄ１〜ｄ３０）を、スナップショット的にリングバッファ１０３に記憶するという動作を繰り返し行う。
【００３４】
図３は、運転状態データ選定機能部１１３の動作状態を示すフローチャートである。
同図に示すように、ステップ１で運転状態データＲ（ｄ１〜ｄ３０）をバッファ１０２から取り込んで、ヒートバランス計算をする。
ヒートバランスの値が指定した範囲内に入っているか否かを判定し（ステップ２）、指定した範囲内に入っていなければタイマーをリセットし（ステップ３）、指定した範囲内に入っていればタイマーをカウントアップしていき、タイマーが指定した時間経過したら（ステップ５）、指定時間経過時の運転データデータＲ（ｄ１〜ｄ３０）をリングバッファ１０３に格納し（ステップ６）、タイマーをリセットする（ステップ７）。
【００３５】
リングバッファ１０３は、ファーストイン・ファーストアウト方式で運転状態データＲ（ｄ１〜ｄ３０）を記憶するものであり、最大で７個の運転状態データＲ（ｄ１〜ｄ３０）を記憶する。このリングバッファ１０３に記憶される、最大７個の運転状態データＲ（ｄ１〜ｄ３０）は、ターボ冷凍機１が熱的に安定した運転状態になった時点におけるものである。
なお、７個の運転状態データＲ（ｄ１〜ｄ３０）がリングバッファ１０３に記憶されている状態で、運転状態データ選定機能部１１３により新たな運転データデータＲ（ｄ１〜ｄ３０）がリングバッファ１０３に記憶される場合には、最先に記憶されていた運転状態データＲ（ｄ１〜ｄ３０）が消去される。
【００３６】
ここでは例えば、時刻ｔ６０、ｔ１２０、ｔ２５０、ｔ３１０、ｔ３７０、ｔ４５０、ｔ５１０の各時点の運転状態データＲ（ｄ１〜ｄ３０：ｔ６０）、Ｒ（ｄ１〜ｄ３０：ｔ１２０）、Ｒ（ｄ１〜ｄ３０：ｔ２５０）、Ｒ（ｄ１〜ｄ３０：ｔ３１０）、Ｒ（ｄ１〜ｄ３０：ｔ３７０）、Ｒ（ｄ１〜ｄ３０：ｔ４５０）、Ｒ（ｄ１〜ｄ３０：ｔ５１０）が、リングバッファ１０３に記憶されているとする。
【００３７】
データ照合機能部１１４には、運転状態データＲ（ｄ１〜ｄ３０）のうち、ヒートバランスの演算をするために必要となる予め決めた特定種類のデータｄ１〜ｄ８を除く、データｄ９〜ｄ３０のそれぞれについて、許容範囲が設定されている。
データ照合機能部１１４は、各運転状態データＲ（ｄ１〜ｄ３０：ｔ６０）、Ｒ（ｄ１〜ｄ３０：ｔ１２０）、Ｒ（ｄ１〜ｄ３０：ｔ２５０）、Ｒ（ｄ１〜ｄ３０：ｔ３１０）、Ｒ（ｄ１〜ｄ３０：ｔ３７０）、Ｒ（ｄ１〜ｄ３０：ｔ４５０）、Ｒ（ｄ１〜ｄ３０：ｔ５１０）のデータｄ９〜ｄ３０のそれぞれについて、基準値データ（許容範囲）に入っているか否かを照合する。
【００３８】
更に、データ照合機能部１１４は、各運転状態データＲ（ｄ１〜ｄ３０：ｔ６０）、Ｒ（ｄ１〜ｄ３０：ｔ１２０）、Ｒ（ｄ１〜ｄ３０：ｔ２５０）、Ｒ（ｄ１〜ｄ３０：ｔ３１０）、Ｒ（ｄ１〜ｄ３０：ｔ３７０）、Ｒ（ｄ１〜ｄ３０：ｔ４５０）、Ｒ（ｄ１〜ｄ３０：ｔ５１０）のデータｄ９〜ｄ３０を表示部１０４に表示する。
この表示をする際に、基準値データ（許容範囲）に入っていないデータｄ９〜ｄ３０については、アラーム表示（例えば赤色表示）をする。
【００３９】
なおデータ照合機能部１１４における、データｄ９〜ｄ３０が許容範囲に入っているか否かの照合計算や、各運転状態データＲの表示やアラーム表示は、表計算ソフトを用いて実現することができる。
【００４０】
なお上記の例では、データ照合機能部１１４及び表示部１０４を運転状態データ選定装置１００に組み込んでいるが、データ照合機能部１１４及び表示部１０４を、パーソナルコンピュータ２０ではない他のコンピュータに搭載することも可能である。
【００４１】
本実施例によれば、運転状態データの選定をシステム化し自動的に行うことが可能となり、作業者による現場点検作業を効率化することができる。
また、据付・試運転時の基準値データ（許容範囲）を参照して、選定した運転状態データの照合を自動化することにより、チェック漏れやチェックミスを防止することができ、保守点検後のトラブル発生を未然に防止することができる。
【符号の説明】
【００４２】
１  ターボ冷凍機
１ａ  凝縮器
１ｂ  オリフィス
１ｃ  蒸発器
１ｄ  圧縮機
１０  操作・監視盤
２０  パーソナルコンピュータ
１００  運転状態データ選定装置
１０１  メモリ
１０２  バッファ
１０３  リングバッファ
１０４  表示部
１１１  状態診断データ取り込み機能部
１１２  運転状態データ取り出し機能部
１１３  運転状態データ選定機能部
１１４  データ照合機能部
Ｄ  状態診断データ
Ｓ  操作指令
Ｒ  運転状態データ
【図１】
2013036632.tif 000003
【図２】
2013036632.tif 000004
【図３】
2013036632.tif 000005
【図４】
2013036632.tif 000006